(57)【要約】【課題】  高精度な位置決めを行う必要が無く、また透過光量の調整範囲の増加が可能な透過光量調整装置を提供することにある。【解決手段】  透過光量調整装置は、９０度未満の角度で連続的に偏光方向を回転させた偏光板を一定間隔で配列し接続した偏光板連結体を２枚重ね合わせ、２枚の偏光板連結体を少なくともいずれか一方を移動させることによって、光の透過面積の調節をすることを特徴とする。【選択図】  図３
2006195395.tif 000002
【特許請求の範囲】
【請求項１】
９０度未満の角度で連続的に偏光方向を回転させた偏光板を一定間隔で配列し接続した偏光板連結体を２枚重ね合わせ、２枚の偏光板連結体を少なくともいずれか一方を移動させることによって、光の透過面積の調節をすることを特徴とする透過光量調整装置。
【請求項２】
請求項１に記載の透過光量調整装置において連続的に回転させる偏光方向を９０度の約数の角度としたことを特徴とする透過光量調整装置。
【請求項３】
請求項１に記載の透過光量調整装置において連続的に回転させる偏光方向を９０／ａ度（ａは１以上の実数）の角度としたことを特徴とする透過光量調整装置。
【請求項４】
請求項１から請求項３のいずれかに記載の透過光量調整装置において、可動側の偏光板連結体と固定側の偏光板連結体と前記可動側の偏光板連結体に伝達する伝動手段と一体に形成され、前記可動側の偏光板連結体を案内するガイド部材を含み、手動またはモータ等の電動による移動手段により可動側の偏光板連結体と固定側の偏光板連結体を相対移動させることにより光の透過面積の調節をすることを特徴とする透過光量調整装置。
【発明の詳細な説明】
【技術分野】
【０００１】  本発明は特に車両用または建物用の窓等に用いられる透過光量調整装置に関する。
【背景技術】
【０００２】  従来の透過光量調整装置は、偏光方向の異なる２種の帯状の偏光板を交互に列状に一定間隔で配列した偏光板連結体を２枚重ねあわせ、少なくとも一方の偏光板連結体を可動として、この可動側偏光板連結体の移動に伴う偏光板の重なり量の変化により透過光量を制御するようにしている。
【特許文献１】特開６２−２９６１１２号広報
【発明の開示】
【発明が解決しようとする課題】
【０００３】  このような透過光量調整装置において、光を遮断する際や最適な透過光量を得るため等から、２枚の偏光板連結体の偏光板が正確に重なることが必要とされていた。【０００４】  しかし、可動側偏光板連結体の高精度の位置決めが困難であるという問題点があった。【０００５】  この発明は以上の従来の問題点を解決するためになされたもので、その目的は高精度な位置決めを行う必要が無く、また透過光量の調整範囲の増加が可能な透過光量調整装置を提供することにある。
【課題を解決するための手段】
【０００６】  以上の目的を達成するため、請求項１記載の発明に係る透過光量調整装置は９０度未満の角度でそれぞれ連続的に偏光方向を回転させ一定間隔で配列した偏光板を任意の移動方向に連続的に接続した２枚の偏光板連結体を少なくともいずれか一方を移動させることによって、光の透過面積の調節をすることを特徴とする。【０００７】  請求項１記載の発明にあっては、９０度未満の角度でそれぞれ連続的に偏光方向を回転させ一定間隔で配列した偏光板を使用しているので、以下に示す理由より高精度の位置決めを必要とせずに最適な透過光量を得る事が出来る。理由は偏光方向を回転させる角度を９０度未満の角度としているため光を遮断する際に一対の偏光板の位置のずれが起きた際に移動方向に隣接した偏光板による光量の透過を最小限にすることが可能であるためである。【０００８】  また前述のように、請求項１記載の発明にあっては、９０度未満の角度でそれぞれ連続的に偏光方向を回転させた偏光板を使用しているため、可動側偏光板連結体の移動に伴い偏光板の重なる量が変化する際に、隣接したそれぞれの偏光板においてもう一方の偏光板連結体と９０度未満の偏光方向をもつため、今までの透過光量調整装置が光の透過部分と遮断部分による２種類の面積量の変化により光量調整を行うのに対し、半透過部分を含むため透過光量の調整範囲を増加させることが出来る。【０００９】  請求項２記載の発明は、請求項１に記載の透過光量調整装置において連続的に回転させる偏光方向を９０度の約数の角度としたことを特徴とする。【００１０】  請求項３記載の発明は、請求項１に記載の透過光量調整装置において連続的に回転させる偏光方向を９０／ａ度（ａは１以上の実数）の角度としたことを特徴とする。【００１１】  請求項２から請求項３記載の発明は、請求項１に記載の透過光量調整装置と同様の理由より高精度な位置決めを行う必要が無く、また透過光量の調整範囲の増加が可能である。【００１２】  請求項４記載の発明は、請求項１から請求項３のいずれかに記載の透過光量調整装置において、可動側の偏光板連結体と固定側の偏光板連結体と前記可動側の偏光板連結体に伝達する伝動手段と一体に形成され、前記可動側の偏光板連結体を案内するガイド部材を含み、手動またはモータ等の電動による移動手段により可動側の偏光板連結体と固定側の偏光板連結体を相対移動させることにより光の透過面積の調節をすることを特徴とする。【００１３】  請求項４記載の発明にあっては、請求項１と同様の効果に加えて、以下の効果を有する。可動側の偏光板は、固定側の偏光板と一体に形成されたガイド部材によって移動する。したがって、可動側の偏光板の位置は、固定側の偏光板連結体を基準に設定されるため、正確な位置調整が可能となることから、より理想とした光量調節を行うことが出来る。
【発明の効果】
【００１４】  請求項１記載の発明である透過光量調整装置によれば、光を遮断する際に一対の偏光板において位置のずれが起きた際に移動方向に隣接した偏光板による光量の透過を最小限にすることが可能である。したがって高精度な位置決めを行う必要が無い。また半透過部分を含む光量調整を行うことが可能なため、透過光量の調整範囲を増加させることが出来る。
【発明を実施するための最良の形態】
【００１５】  以下、本発明の好適な一実施の形態について、図面を参照して詳細に説明する。【００１６】  図１は、本発明の一実施の形態に係る透過光量調整装置１０を示した正面図であり、図２は同断面図である。【００１７】  実施の形態に係る透過光量調整装置１０は、例えば２枚の透明版１４ａ、１４ｂを張り合わせてフレーム体１６を形成し、これら２枚の透明板１４ａ、１４ｂ間に密封空間１３を形成するようにする。【００１８】  そして、この密封空間１３内に、固定側及び可動側の一対の偏光板連結体が組み込まれることになっている。可動側の偏光板連結体１２は、固定側の偏光板連結体１１と平行に対向した状態で配置されている。可動側の偏光板連結体１２の端部には、移動伝達体１５が設けられている。移動伝達体１５は、可動側の偏光板連結体１２に一体的に固定されている。【００１９】  固定側の偏光板連結体１１は、図３に示すように、特定の方向に偏光方向をもった偏光板２１ａ、偏光板２１ａを角度α（９０度未満の角度）で回転させた偏光方向をもつ偏光板２１ｂ、偏光板２１ｂを角度αで回転させた偏光方向をもつ偏光板２１ｃと、角度αで回転させた偏光方向を持つ偏光板を順次連続的に接続したものである。可動側の偏光板連結体１２も同様にして特定の方向に偏光方向をもった偏光板２２ａ、偏光板２２ａを角度α（９０度未満の角度）で回転させた偏光方向をもつ偏光板２２ｂ、偏光板２２ｂを角度αで回転させた偏光方向をもつ偏光板２２ｃと、順次連続的に接続したものである。なお偏光板の幅の大きさは全て等しくなっている。【００２０】  この２枚の固定側偏光板連結体１１と可動側偏光板連結体固定側１２を偏光板２１ａと偏光板２２ａ同士があるいは偏光板２１ｂと偏光板２２ｂ同士が完全に同一面に重なるように配置した場合、図示せぬが光線は通過し易い状態となる。【００２１】  この状態から図示せぬが一方向に可動側の偏光板連結体をずらした場合、偏光板２２ａと偏光板２１ｂ、偏光板２２ｂと偏光板２１ｃと連続的にそれぞれの一部同士が重なり合い、半透明の面ができ光線を通過し難い状態となる。【００２２】  そして、可動側の偏光板連結体１２をさらにずらし、最初の重なり合う状態から偏光板２１ａの幅だけずらすと、図４に示すように偏光板２２ａと偏光板２１ｂ、偏光板２２ｂと偏光板２１ｃが完全に重なり合い、ほとんどの面が半透明遮光状態の面２３となる。【００２３】  そして、可動側の偏光板連結体１２をさらにずらし、最初の重なり合う状態から偏光板２１ａの幅の２倍だけずらすと、図示せぬが偏光板２２ａと偏光板２１ｃ、偏光板２２ｂと偏光板２１ｄが完全に重なり合い、ほとんどの面が半透明遮光状態の遮光量が増加した面となる。このようにずらす量を増加していくことにより、それぞれにおいて偏光板連結体の偏光板同士の偏光方向を９０度回転させた面に達すると、ほとんどの面が遮断面となり、光線をほとんど通過しない状態となる。【００２４】  また、様々の伝達手段と位置制御手段とを組み合わせて用いることも可能である。【００２５】「他の実施形態」
図３の実施形態では、固定側の偏光板連結体１１と可動側の偏光板連結体１２は同一平面内での相対運動によって、透過光量の調整を行っていたが、他の実施形態では、図３において偏光板２１ａと偏光板２１ｉの長辺部分を接続した円柱状の固定側の偏光板連結体と、偏光板２２ａと偏光板２２ｉの長辺部分を接続した円柱状の可動側の偏光板連結体を同一軸上に設置し、同一軸を中心とした相対的な回転運動によって透過光量の調整を行うものでもよい。
【図面の簡単な説明】
【００２６】
【図１】  本発明の一実施形態を示す透過光量調整装置を示す正面図である。
【図２】  本発明の一実施形態を示す透過光量調整装置を示す断面図である。
【図３】  固定側の偏光板連結体および可動側の偏光板連結体を示す斜視図である。
【図４】  遮光時における一対の偏光板連結体の状態を示す図である。
【符号の説明】
【００２７】  １０  透過光量調整装置
１１  固定側の偏光板連結体
１２  可動側の偏光板連結体
１３  密閉空間
１４  透明板
１５  移動伝達体
１６  フレーム体
２１  固定側の偏光板
２２  可動側の偏光板
２３  半透明遮光状態の面
【図１】
2006195395.tif 000003
【図２】
2006195395.tif 000004
【図３】
2006195395.tif 000005
【図４】
2006195395.tif 000006